(57)【要約】【課題】竿管の外周面を損傷することなく、極めて簡単かつ確実に竿管をハンドル部材に固定することができる釣竿を提供すること。【解決手段】魚釣用リール８を取付けるリール載置部２２を形成したリールシート本体１６とこのリール載置部２２の後方に配置した握り部１８とを有するハンドル部材１２を備え、このハンドル部材１２の先側に、竿管１４の竿尻部１４ａを固定する釣竿であって、前記リールシート本体１６は、前方に開口する竿管装着孔３４と、リール載置部２２側に開口する操作用開口部４０とを有し、この操作用開口部４０を介してリールシート本体１６内に挿通される連結部材３８により、前記竿管装着孔内に挿入された竿管１４の竿尻部１４ａをこの竿管装着孔内の所要位置に固定する釣竿。【選択図】  図３
2008187916.tif 000002
【特許請求の範囲】
【請求項１】
魚釣用リールを取付けるリール載置部を形成したリールシート本体とこのリール載置部の後方に配置した握り部とを有するハンドル部材を備え、このハンドル部材の先側に、竿管の竿尻部を固定する釣竿であって、
前記リールシート本体は、前方に開口する竿管装着孔と、リール載置部側に開口する操作用開口部とを有し、この操作用開口部を介してリールシート本体内に挿通される連結部材により、前記竿管装着孔内に挿入された竿管の竿尻部をこの竿管装着孔内の所要位置に固定することを特徴とする釣竿。
【請求項２】
前記竿尻部は、竿管の開口端に、後方に突出した状態に固着された閉塞栓を有することを特徴とする請求項１に記載の釣竿。
【請求項３】
前記竿管装着孔の底壁と竿尻部との間に、弾性部材が配置されることを特徴とする請求項１又は２に記載の釣竿。
【発明の詳細な説明】
【技術分野】
【０００１】
本発明は、釣竿に関し、特に、握り部を有するハンドル部材の先側に、竿管の竿尻部を固定する釣竿に関する。
【背景技術】
【０００２】
一般に、釣竿には、対象とする魚種や大きさ等の用途に合せて種々のタイプのものがあり、例えばキャスティング用の釣竿には、魚釣用リールを固定するフレームの先側に竿管を着脱可能としたものがある（例えば特許文献１参照）。
【０００３】
このような竿管の着脱は、竿管の竿尻部を受け入れるハウジングの先側の薄肉の円筒状部を、周方向に間隔をおいてスリットを形成したチャックあるいはコレットとして形成し、この上からコレットナットを締め込むことにより、内部に収容した竿管の竿尻部を締付け、保持することが一般的に行われている。このコレット内に挿入される竿管の竿尻部の長さは、竿管の撓み性を損なわない範囲に設定される。
【特許文献１】特開昭５０−１４８１９３
【発明の開示】
【発明が解決しようとする課題】
【０００４】
しかし、このように、竿管の竿尻部を周部から締付けて保持する釣竿は、ナットを過度に強く締付けて保持しようとすると、局部的な応力の増大により、竿管の外周部が損傷する虞がある。逆に、ナットの締め付けが不足する場合には、特にキャスティングの際に竿管がフレームに対して長手方向および周方向に移動して外周面が傷付き、更に、抜け落ちるおそれがある。そのため、竿管を最適の締付け力で保持することが困難である。
【０００５】
本発明は、このような事情に基づいてなされたもので、竿管の外周面を損傷することなく、極めて簡単かつ確実に竿管をハンドル部材に固定することができる釣竿を提供することを目的とする。
【課題を解決するための手段】
【０００６】
上記目的を達成するため、本発明の釣竿は、魚釣用リールを取付けるリール載置部を形成したリールシート本体とこのリール載置部の後方に配置した握り部とを有するハンドル部材を備え、このハンドル部材の先側に、竿管の竿尻部を固定する釣竿であって、前記リールシート本体は、前方に開口する竿管装着孔と、リール載置部側に開口する操作用開口部とを有し、この操作用開口部を介してリールシート本体内に挿通される連結部材により、前記竿管装着孔内に挿入された竿管の竿尻部をこの竿管装着孔内の所要位置に固定することを特徴とする。
【０００７】
前記竿管装着孔の底壁に、前記連結部材を挿通する連絡孔が形成されることが好ましい。
【発明の効果】
【０００８】
本発明の釣竿によると、リールシート本体の竿管装着孔に挿入された竿管の竿尻部が、リール載置部側に開口する操作用開口部を介して挿入された連結部材により、このリールシート本体に固定されるため、竿管の外周面を締付けることなく、竿管がハンドル部材に極めて簡単かつ確実に保持され、実釣中に竿管が抜出るのが防止される。
【０００９】
また、竿管装着孔の底壁に、連結部材を挿通する連絡孔が形成される場合には、この底壁を介して竿管を位置決めすることが可能であり、極めて簡単かつ正確に取付けることができる。
【発明を実施するための最良の形態】
【００１０】
図１に示すように、本発明の好ましい実施形態による釣竿１０は、ルアーのキャスティング用として形成してあり、ハンドル部材１２の先側に竿管１４が着脱自在となっている。釣り糸を巻回する両軸タイプの魚釣用リール８がハンドル部材１２に取付けられ、竿管１４には、竿管の外面に釣り糸が付着するのを防止する釣糸ガイド６が、魚釣用リール８と同じ側で、釣竿１０の穂先に向けて所定間隔をおいて固定され、竿先にはトップガイド６ａが取付けられている。このような釣糸ガイド６の個数および配置位置は、図示の例に限らず、任意に設定することが可能である。
【００１１】
本実施形態のハンドル部材１２は、魚釣用リール８を取付けるためのリールシート本体１６と、このリールシート本体１６の後方に配置された握り部１８とを備える。繊維強化樹脂製であるのが好ましい竿管１４の竿尻部が、このリールシート本体１６の先側に設けられた取付部２０に固定される。このリールシート本体１６に取付ける竿管１４は、一本竿だけでなく、２本あるいはそれ以上の竿管を継合させたものでもよい。
【００１２】
図２から図４に示すように、本実施形態のリールシート本体１６は、合成樹脂あるいは軽金属等の適宜の材料で、例えば外径が２０ｍｍ〜３０ｍｍ程度の略円筒状部材として形成され、上下方向に比較して幅方向の差渡し寸法が大きい偏平構造に形成された長手方向の中央部に、魚釣用リール８を取付けるリール載置部２２が形成されている。このリール載置部２２には、把持したときに上側となる一側に、魚釣用リール８のリール本体を載置可能な平坦面状のリール載置面２４を形成してあり、例えば締付けボルト等の図示しない適宜の固定具を、リール本体と共にこのリールシート本体１６を上下方向あるいは横方向に貫通させて、直接固定することができる。図示の実施形態では、このリール載置面２４は、このリール載置部２２の中心軸線と同一あるいはこれよりもわずかに上方に配置することができる。
【００１３】
このように、リール載置面２４を、リールシート本体１６の中心軸線に近接する位置に配置し、このリール載置面２４上に、リール本体を直接載置して固定する場合には、魚釣用リール８の取付け高さが低くなり、繰出されていく釣り糸や回転しているスプールに親指で触れて、ルアーの飛びあるいはスプールの回転を調節するサミング操作、あるいは、魚釣用リール８の全体を握り込んで操作するパーミング操作等の種々の魚釣り操作を好適に行うことができる。なお、魚釣用リール８は、上述のように、リール載置面２４に魚釣用リール８のリール本体を直接載置して取付けることに代え、リール本体に設けた取付脚部（図示しない）を載置して取付けることも可能である。この場合には、通常の場合と同様に、通常のリールシート本体１６に設ける一対のフード等で、この魚釣用リール８の取付脚部をリール載置面２４に固定してもよい。但し、取付脚部の高さに相当する分だけ、魚釣用リールの高さが増大することになる。
【００１４】
本実施形態のハンドル部材１２は、握り部１８に、例えば木材あるいは硬質の樹脂材製のグリップ部材２６を設けてあり、リール載置部２２の後方から、リールシート本体１６の一体部材として延びる支持部２８が、このグリップ部材２６を支えている。この支持部２８は、リール載置部２２の最小径部よりも更に小径に形成し、リール載置部２２からグリップ部材２６の長手方向に沿う略半分程度の位置まで延設してある。これにより、握り部１８を握持した際の操作性を向上するために、グリップ部材２６の後方部位を下方に向けることも可能であり、この場合でも、グリップ部材２６を強固に支えることができる。なお、グリップ部材２６を例えばコルク材や発泡性樹脂材等の比較的柔軟な材料で形成する場合には、グリップ部材２６の外形に応じて、長さおよび延出方向を調整することも可能である。
【００１５】
このグリップ部材２６は、リールシート本体１６の下側すなわちリール載置部２２の径方向反対側で、このリール載置部２２に近接した部位からは、トリガー３０が突出する。このトリガー３０の先側には、凹部３２が形成されており、魚釣用リール８の糸巻き部に親指を置いてスプールの回転を調節するサミング操作等の際に人差指あるいは中指をトリガー３０にかけ易く形成してある。
【００１６】
更に、リールシート本体１６は、リール載置部２２の先側から、竿管１４を取付ける円筒状の取付部２０が一体部材として延びており、この取付部２０に、竿管１４の竿尻部１４ａを挿入して取付ける竿管装着孔３４を、前方すなわちリール載置部２２に対して反対方向に向けて開口させて形成してある。
【００１７】
この取付部２０は、リール載置部２２の幅方向の差渡し寸法よりも小さな径を有する円筒状形状に形成してあり、先端部は、テーパ状に形成され、竿管１４の竿尻部１４ａを挿入する竿管装着孔３４が、この取付部２０内で前方に開口させて形成してある。この竿管装着孔３４の軸方向長さは、竿管１４の強度を確保するために、略５０〜７０ｍｍ程度に形成してあり、後側には底壁３６が形成されている。竿管１４を取付ける際に、この底壁３６に竿尻部１４ａを当接させることで、常に一定の位置に配置することができる。
【００１８】
この竿管装着孔３４に挿入した竿尻部１４ａを、リールシート本体１６に固定するため、本実施形態では締付けネジ３８である連結部材を挿通する操作用開口部４０が、リール載置面２４に開口する。この操作用開口部４０は、底壁３６に形成した連絡孔３６ａを介して竿管装着孔３４と同軸状に連通する。この操作用開口部４０は、リール載置面２４内で、連結部材である締付けネジ３８の頭部を自由に挿通できる大きさに開口する。また、連絡孔３６ａは、ネジ３８の軸部を挿通し、一方、頭部を係止する大きさに形成してある。
【００１９】
本実施形態の操作用開口部４０は、リール載置面２４にほぼ一定幅で長手方向に沿って開口する断面半円形状の溝状に形成してある。このような操作用開口部４０は、例えばリールシート本体１６の軸線に沿って断面円形状の孔を延設し、リール載置面２４を平坦状に切削することにより、リール載置面２４に開口させることができる。この操作用開口部４０は、連結部材である締付けネジ３８を挿通できるものであれば、どのように形成してもよい。
【００２０】
この連結部材すなわち締付けネジ３８で竿管１４の竿尻部１４ａを固定するため、この竿尻部１４ａの開口端に、閉塞栓４２を例えば接着剤で固着してある。この閉塞栓４２には、締付けネジ３８を螺合する雌ネジを形成した結合孔４２ａを形成してある。この閉塞栓４２は、竿管１４内に完全に挿入してもよく、あるいは、わずかに後方に突出させた状態で固着してもよい。閉塞栓４２が後方から突出する場合には、尻栓部１４ａが底壁３６に当接した際に、竿管１４の端面が底壁３６あるいはその近部の内壁に接触して損傷するのを防止することができる。
【００２１】
このような閉塞栓４２を、竿尻部１４ａの後部の開口端に固定する方法には、上述のような接着剤を用いる他にも、竿管１４の後部の開口端の内面に雌ネジを形成し、外周部に雄ネジを形成した閉塞栓４２を、この開口端からねじ込み、固着することもできる。この場合には、接着剤を併用してもよい。
【００２２】
この竿管１４をハンドル部材１２に装着する場合は、魚釣用リール８を取外した状態で、竿管装着孔３４の前方から竿管１４の竿尻部１４ａを挿入し、底壁３６にその端部を当接させる。この後、操作用開口部４０から締付けネジ３８を挿入し、連絡孔３６ａを介して、竿尻部１４ａの閉塞栓４２に形成したネジ孔すなわち結合孔４２ａに締め込む。これにより、竿尻部１４ａが底壁３６に締付けられ、竿管１４の外周面は竿管装着孔３４の内周面で支えられる。竿管１４の外周面には、大きな力が作用することはない。
【００２３】
締付けネジ３８を操作用開口４０内に配置した状態では、例えばクランク状に軸を屈曲させた工具を用いることにより、簡単かつ確実に締付けることができる。また、締付けネジ３８を閉塞栓４２の結合孔４２ａ内に締付けた状態では、締付けネジ３８の全体が連絡孔４２あるいは操作用開口部４０内に収容されて保護された状態となるため、握持する手に触れることもなく、緩むこともない。
【００２４】
したがって、本実施形態の釣竿１０は、リールシート本体１６の竿管装着孔３４に挿入された竿管１４の竿尻部１４ａが、リール載置面２４側に開口する操作用開口部４０を介して挿入された連結用の締付けネジ３８により、このリールシート本体１６に固定されるため、竿管１４の外周面を別個の部材で締付けることなく、竿管１４がハンドル部材１２に極めて簡単かつ確実に保持され、実釣中に竿管１４が抜出るのが確実に防止される。
【００２５】
竿管１４の竿尻部１４ａが竿管装着孔３４の底壁３６に当接し、この底壁３６に形成した連絡孔３６ａを介して挿通される締付けネジ３８で固定されることにより、この底壁３６を介して竿管１４を位置決めすることができ、いつでも、極めて簡単かつ正確な位置に取付けることができる。
【００２６】
図５および図６は、変形例を示す。なお、以下に説明する変形例は、基本的には上述の実施形態と同様であるため、同様な部位には同様な符号を付し、詳細な説明を省略する。
【００２７】
この変形例では、締付けネジ３８に代えて、円筒状の軸部４６の一端から突片４７を突出させたキー部材４８で連結部材を形成してある。また、連絡孔３６ａには、キー部材４８の軸部４６が挿通する円筒状部５６と突片４７が挿通する溝部５７とを有する非円形断面を有する。そして、竿尻部１４ａに取付ける閉塞栓４２に形成した結合孔４２ａは、キー部材４８の軸部４６が挿通される円筒状部６６が貫通し、後方部位すなわち底壁３６に近接する側に、キー部材４８の突片４７が挿通する断面矩形の溝部６７が形成され、底壁３６から離隔する側に、断面扇形で突片４７を周方向に移動可能とする回動部６８を形成し、この回動部６８と溝部６７との間に、キー部材４８の突片４７を係止可能な係止壁７０を形成してある。
【００２８】
このようなキー部材４８を用いて竿管１４をリールシート本体１６に固定する場合は、キー部材４８を、操作用開口部４０から連絡孔３６ａを介して、竿尻部１４ａの閉塞栓４２に形成した結合孔４２ａに突片４７の位置を合わせ、挿入する。突片４７が結合孔４２ａの溝部６７を超えて回動部６８に達したときに、軸部４６を中心としてこのキー部材４８を回動し、突片４７を結合孔４２ａの係止壁７０に係合させる。このキー部材４８の回動は、操作用開口部４０を介して、例えばクランク状に屈曲した工具（図示しない）を用いて行うことができる。
【００２９】
この変形例においても、竿管１４が閉塞栓４２およびキー部材４８を介してリールシート本体１６に固定され、抜け止めされる。竿尻部１４ａの外面には締付け力が作用せず、しかも、確実に固定される。
【００３０】
なお、底壁３６と竿尻部１４ａとの間に圧縮バネあるいはゴム材等の弾性部材（図示しない）を配置し、キー部材４８と閉塞栓４２の係止壁７０とを常に係合させておくことができる。これにより、キー部材４８を係止壁７０に押し当て、キー部材４８の回り止めを行うことができる。また、係止壁７０を傾斜面で形成し、キー部材４８を回動することにより、突部４７により底壁３６側に締付け力が作用するように形成することもできる。
【００３１】
以上、本発明の好ましい実施形態について説明してきたが、本発明の釣竿１０は、上述の実施形態あるいは変形例に限定されるものではなく、例えば材料あるいは大きさ等は、対象とする魚種に応じて適宜に変更可能なことは明らかである。
【図面の簡単な説明】
【００３２】
【図１】本発明の好ましい実施形態による釣竿の全体を示す側面図。
【図２】図１の釣竿のハンドル部材の拡大図。
【図３】リールシート本体の内部構造を示す部分断面図。
【図４】リールシート本体に竿管を取付ける部分を分解して示す概略的な斜視図。
【図５】変形例によるリールシート本体の一部を示し、（Ａ）は竿管を取り付けた状態の断面図、（Ｂ）および（Ｃ）は、それぞれ（Ａ）のＢ−Ｂ線およびＣ−Ｃ線に沿う断面図。
【図６】図５の変形例を説明する図４と同様な斜視図。
【符号の説明】
【００３３】
８…魚釣用リール、１０…釣竿、１２…ハンドル部材、１４…竿管、１４ａ…竿尻部、１６…リールシート本体、２２…リール載置部、３４…竿管装着孔、３８…連結部材、４０…操作用開口部。
【図１】
2008187916.tif 000003
【図２】
2008187916.tif 000004
【図３】
2008187916.tif 000005
【図４】
2008187916.tif 000006
【図５】
2008187916.tif 000007
【図６】
2008187916.tif 000008